(57)【要約】      （修正有）【課題】ポンプを利用しないで、連続的に薬液の供試魚に対する安全性の試験を行うことができる流水式魚類試験装置を提供する。【解決手段】薬液と希釈水が混合された試験水で供試魚などを飼育させておく試験水槽１０と、該試験水槽１０の上方に設置され、前記試験水槽１０に供給する試験水を貯水する貯水槽１２と、該貯水槽１２から前記試験水槽１０に試験水を供給する試験水供給手段１４と、前記貯水槽１２の上方に設置され、前記貯水槽１２に供給する希釈水を貯めておく希釈水タンク１６と、前記希釈水タンク１６の希釈水を前記貯水槽１２に供給する希釈水供給手段１８と、前記貯水槽１２の上方に設置され、前記貯水槽１２に供給する薬液を貯めておく薬液タンク２０と、前記薬液タンク２０の薬液を前記貯水槽１２に供給する薬液供給手段２２と、前記希釈水供給手段１８と前記薬液供給手段２２を制御する制御手段Ａと、を備えた。【選択図】図１
2005160336.tif 000002
【特許請求の範囲】
【請求項１】
薬液と希釈水が混合された試験水で供試魚などを飼育させておく試験水槽と、
該試験水槽の上方に設置され、前記試験水槽に供給する試験水を貯水する貯水槽と、
該貯水槽から前記試験水槽に試験水を供給する試験水供給手段と、
前記貯水槽の上方に設置され、前記貯水槽に供給する希釈水を貯めておく希釈水タンクと、
前記希釈水タンクの希釈水を前記貯水槽に供給する希釈水供給手段と、
前記貯水槽の上方に設置され、前記貯水槽に供給する薬液を貯めておく薬液タンクと、
前記薬液タンクの薬液を前記貯水槽に供給する薬液供給手段と、
前記希釈水供給手段と前記薬液供給手段を制御する制御手段と、
を備えた流水式魚類試験装置であって、
前記希釈水供給手段は、前記希釈水タンクと前記貯水槽の間に設置され、前記貯水槽に供給する希釈水を計量する希釈水計量容器と、該希釈水計量容器と前記希釈タンクを連通する第１希釈水用連通路と、該第１希釈水用連通路に設けられ、第１希釈水用連通路を開閉可能な第１希釈水用弁と、前記希釈水計量容器と前記貯水槽を連通する第２希釈水用連通路と、該第２希釈水用連通路に設けられ、第２希釈水用連通路を開閉可能な第２希釈水用弁と、を備えており、
前記薬液供給手段は、前記薬液タンクと前記貯水槽の間に設置され、前記貯水槽に供給する薬液を計量する薬液計量容器と、該薬液計量容器と前記薬液タンクを連通する第１薬液用連通路と、該第１薬液用連通路に設けられ、第１薬液用連通路を開閉可能な第１薬液用弁と、前記薬液計量容器と前記貯水槽を連通する第２薬液用連通路と、該第２薬液用連通路に設けられ、第２薬液用連通路を開閉可能な第２薬液用弁と、を備えており、
前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されており、
前記試験水供給手段は、前記試験水槽と前記貯水槽を連通する試験水連通路と、該試験水連通路に設けられ、前記試験水連通路内を流動する試験水の量を調整可能な試験水量調整弁が設けられていることを特徴とする流水式魚類試験装置。
【請求項２】
前記試験水層は、二以上設けられており、前記試験水供給手段は、前記試験水層に対応させて同数設けられていることを特徴とする請求項１記載の流水式魚類試験装置。
【請求項３】
前記第２希釈水用連通路と前記第２薬液用連通路は、前記貯水槽に至る前で合流されていることを特徴とする請求項１又は２記載の流水式魚水試験装置。
【請求項４】
薬液と希釈水が混合された試験水で供試魚などを飼育させておく試験水槽と、
該試験水槽の上方に設置され、前記試験水槽に供給する希釈水を貯めておく希釈水タンクと、
前記希釈水タンクの希釈水を前記試験水槽に供給する希釈水供給手段と、
前記試験水槽の上方に設置され、前記試験水槽に供給する薬液を貯めておく薬液タンクと、
前記薬液タンクの薬液を前記試験水槽に供給する薬液供給手段と、
前記希釈水供給手段と前記薬液供給手段を制御する制御手段と、
を備えた流水式魚類試験装置であって、
前記希釈水供給手段は、前記希釈水タンクと前記試験水槽の間に設置され、前記試験水槽に供給する希釈水を計量する希釈水計量容器と、該希釈水計量容器と前記希釈タンクを連通する第１希釈水用連通路と、該第１希釈水用連通路に設けられ、第１希釈水用連通路を開閉可能な第１希釈水用弁と、前記希釈水計量容器と前記試験水槽を連通する第２希釈水用連通路と、該第２希釈水用連通路に設けられ、第２希釈水用連通路を開閉可能な第２希釈水用弁と、を備えており、
前記薬液供給手段は、前記薬液タンクと前記試験水槽の間に設置され、前記試験水槽に供給する薬液を計量する薬液計量容器と、該薬液計量容器と前記薬液タンクを連通する第１薬液用連通路と、該第１薬液用連通路に設けられ、第１薬液用連通路を開閉可能な第１薬液用弁と、前記薬液計量容器と前記試験水槽を連通する第２薬液用連通路と、該第２薬液用連通路に設けられ、第２薬液用連通路を開閉可能な第２薬液用弁と、を備えており、
前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されていることを特徴とする流水式魚類試験装置。
【請求項５】
前記第２希釈水用連通路と前記第２薬液用連通路は、前記試験水槽に至る前で合流されていることを特徴とする請求項１又は２記載の流水式魚水試験装置。
【発明の詳細な説明】
【技術分野】
【０００１】
本発明は、産業廃棄物、工場排水、農薬等に含まれる毒性有機物、化学物質など薬液の供試魚に及ぼす生物学的又は化学的な安全性の評価を行う流水式魚水試験装置に関する。
【背景技術】
【０００２】
従来からあるこの種の流水式魚水試験装置は、図４に示すように産業廃棄物、工場排水、農薬等に含まれる毒性有機物、化学物質など薬液を貯めておく薬液タンク７０と、薬液を希釈する希釈水を貯めておく希釈水タンク７２と、これら薬液と希釈水を所定の濃度に混ぜて試験水として貯水する貯水槽７４と、供試魚７６を試験水に飼育させておく試験水槽７８と、薬液タンク７０内の薬液を貯水槽７４に供給する薬液供給ポンプ８０と、希釈水タンク７２内の希釈水を貯水槽７４に供給する希釈水供給ポンプ８２と、を備えている（非特許文献１）。
【０００３】
この流水式魚水試験装置は、薬液供給ポンプ８０と希釈水供給ポンプ８２を稼動することによって、貯水槽７４に薬液と希釈水を供給し、それぞれ貯水槽に供給する薬液と希釈水の量は、これらポンプ８０、８２によって調整されるように構成されており、貯水槽７４で混合された試験水は、既知の手段によって試験水槽７８に連続的に適量が供給されるよう構成されている。このように連続的に試験水を供給し、試験水槽７８内で飼育している供試魚７６の生体を調べることにより、薬液の供試魚に及ぼす生物学的又は化学的な安全性の評価を行うことができる。
【０００４】
【非特許文献１】平成１０年１０月９日付け通産省公報第８頁
【発明の開示】
【発明が解決しようとする課題】
【０００５】
しかしながら、従来の流水式魚水試験装置は、このようにポンプ８０、８２を用いて薬液や希釈水を貯水槽７４に供給するように構成されているが、ポンプ８０、８２は、シール部の交換など頻繁にメンテナンスを行う必要があるため、長期間に及ぶ試験には適していない。また、ポンプ８０、８２によって供給量を調整する場合、その設定作業は、複雑で手間がかかるという問題がある。さらに、ポンプ８０、８２によって薬液や希釈水を供給する際に、ポンプ８０、８２から薬液や希釈水に熱や圧力が伝わることによって、これらの水温上昇を生じさせたり、また溶解酸素を減らしたりすることにより、薬液の供試魚に対する安全性の試験に悪影響を与える場合がある。
【０００６】
そこで、本発明は、ポンプを利用しないで、連続的に薬液の供試魚に対する安全性の試験を行うことができる流水式魚水試験装置を提供することを目的とする。
【課題を解決するための手段】
【０００７】
以上の目的を達成するため、本発明は、薬液と希釈水が混合された試験水で供試魚を飼育させておく試験水槽と、該試験水槽の上方に設置され、前記試験水槽に供給する試験水を貯水する貯水槽と、該貯水槽から前記試験水槽に試験水を供給する試験水供給手段と、前記貯水槽の上方に設置され、前記貯水槽に供給する希釈水を貯めておく希釈水タンクと、前記希釈水タンクの希釈水を前記貯水槽に供給する希釈水供給手段と、前記貯水槽の上方に設置され、前記貯水槽に供給する薬液を貯めておく薬液タンクと、前記薬液タンクの薬液を前記貯水槽に供給する薬液供給手段と、前記希釈水供給手段と前記薬液供給手段を制御する制御手段と、を備えた流水式魚類試験装置であって、前記希釈水供給手段は、前記希釈水タンクと前記貯水槽の間に設置され、前記貯水槽に供給する希釈水を計量する希釈水計量容器と、該希釈水計量容器と前記希釈タンクを連通する第１希釈水用連通路と、該第１希釈水用連通路に設けられた第１希釈水用弁と、前記希釈水計量容器と前記貯水槽を連通する第２希釈水用連通路と、該第２希釈水用連通路に設けられた第２希釈水用弁と、を備えており、前記薬液供給手段は、前記薬液タンクと前記貯水槽の間に設置され、前記貯水槽に供給する薬液を計量する薬液計量容器と、該薬液計量容器と前記薬液タンクを連通する第１薬液用連通路と、該第１薬液用連通路に設けられた第１薬液用弁と、前記薬液計量容器と前記貯水槽を連通する第２薬液用連通路と、該第２薬液用連通路に設けられた第２薬液用弁と、を備え、前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されており、前記試験水供給手段は、前記試験水槽と前記貯水槽を連通する試験水連通路と、該試験水連通路に設けられ、前記試験水連通路内を流動する試験水の量を調整可能な試験水量調整弁が設けられていることを特徴とするものである。
【０００８】
本発明に係る流水式魚類試験装置は、このような構成から次のような作用を有する。先ず、第１希釈水用弁と第１薬液用弁を開き、第２希釈水用弁と第２薬液用弁を閉じると、希釈水タンクから希釈水計量容器内に希釈水が供給され、薬液タンクから薬液計量容器内に薬液が供給される。希釈水計量容器内に所定量の希釈水が貯まると、第１希釈水用弁が閉じ、薬液計量容器内に所定量の薬液が貯まると、第１薬液用弁が閉じる。その後、第２希釈水用弁と第２薬液用弁が開き、希釈水計量容器内の希釈水と薬液計量容器内の薬液が貯水槽に供給される。一方、貯水槽に貯められた試験水は、試験水量調整弁によって適量に調整されて試験水槽に連続的に供給される。そして、常時、試験水が貯水槽に十分に貯まっているように、希釈水と薬液の供給を繰り返すことにより、試験水を連続的に試験水槽に供給することができ、試験水槽内の供試魚の薬液に対する安全性の評価を行うことができる。
【０００９】
本発明に係る流水式魚類試験装置において、前記試験水層は、二以上設けられており、前記試験水供給手段は、前記試験水層に対応させて同数設けられていることが好ましく、この場合、試験水供給手段は、同一の貯水槽から同量の試験水を供給するように構成されていることが好ましい。このように二以上の試験水槽を設けることにより、一の試験水槽内の供試魚が病気などが発生したとしても、他の試験水槽に影響を与えることはないので、長期に及ぶ試験に対応することができる。また、本発明に係る流水式魚類試験装置において、前記第２希釈水用連通路と前記第２薬液用連通路は、前記貯水槽に至る前で合流されていることが好ましく、このように第２希釈水用連通路と第２薬液用連通路を合流させることにより、希釈水と薬液を十分に混合させることができ、評価試験の質の向上を図ることができる。
【００１０】
また、上記目的を達成するため、本発明は、薬液と希釈水が混合された試験水で供試魚などを飼育させておく試験水槽と、該試験水槽の上方に設置され、前記試験水槽に供給する希釈水を貯めておく希釈水タンクと、前記希釈水タンクの希釈水を前記試験水槽に供給する希釈水供給手段と、前記試験水槽の上方に設置され、前記試験水槽に供給する薬液を貯めておく薬液タンクと、前記薬液タンクの薬液を前記試験水槽に供給する薬液供給手段と、前記希釈水供給手段と前記薬液供給手段を制御する制御手段と、を備えた流水式魚類試験装置であって、前記希釈水供給手段は、前記希釈水タンクと前記試験水槽の間に設置され、前記試験水槽に供給する希釈水を計量する希釈水計量容器と、該希釈水計量容器と前記希釈タンクを連通する第１希釈水用連通路と、該第１希釈水用連通路に設けられ、第１希釈水用連通路を開閉可能な第１希釈水用弁と、前記希釈水計量容器と前記試験水槽を連通する第２希釈水用連通路と、該第２希釈水用連通路に設けられ、第２希釈水用連通路を開閉可能な第２希釈水用弁と、を備えており、前記薬液供給手段は、前記薬液タンクと前記試験水槽の間に設置され、前記試験水槽に供給する薬液を計量する薬液計量容器と、該薬液計量容器と前記薬液タンクを連通する第１薬液用連通路と、該第１薬液用連通路に設けられ、第１薬液用連通路を開閉可能な第１薬液用弁と、前記薬液計量容器と前記試験水槽を連通する第２薬液用連通路と、該第２薬液用連通路に設けられ、第２薬液用連通路を開閉可能な第２薬液用弁と、を備え、前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されていることを特徴とする。この場合、前記第２希釈水用連通路と前記第２薬液用連通路は、前記試験水槽に至る前で合流されていることが好ましい。
【００１１】
本発明に係る流水式魚類試験装置において、前記第１希釈水路は、前記希釈水タンク内の希釈水をその自重により前記希釈水計量容器まで流動させるように構成されており、前記第２希釈水路は、前記希釈水計量容器内の希釈水をその自重により前記貯水槽又は試験水槽まで流動させるように構成されている。前記第１薬液路は、前記薬液タンク内の薬液をその自重により前記薬液計量容器まで流動させるように構成されており、前記第２薬液路は、前記薬液計量容器内の薬液をその自重により前記貯水槽又は試験水槽まで流動させるように構成されている。前記試験水連通路は、前記貯水槽内の試験水をその自重により試験水槽まで流動させるように構成されている。
【発明の効果】
【００１２】
以上のように、本発明に係る流水式魚類試験装置によれば、ポンプを利用しないで、連続的に薬液の供試魚に対する安全性の試験を行うことができる流水式魚水試験装置を提供することができる。
【発明を実施するための最良の形態】
【００１３】
次に、本発明に係る流水式魚類試験装置の第１実施例について図面に基づいて説明する。図１は、第１実施例に係る流水式魚類試験装置の概念図である。第１実施例に係る流水式魚類試験装置は、薬液と希釈水が混合された試験水で供試魚を飼育させておく試験水槽１０と、試験水槽１０に供給する試験水を貯水する貯水槽１２と、貯水槽１２から試験水槽１０に試験水を供給する試験水供給部１４と、貯水槽１２に供給する希釈水を貯めておく希釈水タンク１６と、希釈水タンク１６の希釈水を貯水槽１２に供給する希釈水供給部１８と、貯水槽１２に供給する薬液を貯めておく薬液タンク２０と、薬液タンク２０の薬液を貯水槽１２に供給する薬液供給部２２と、希釈水供給部１８と薬液供給部２２を制御する制御部Ａ（図２参照）と、を備えている。
【００１４】
第１実施例に係る流水式魚類試験装置において、試験水槽１０は、３つ設けられており、それに対応させて試験水供給部１４も３つ設けられている。これら３つの試験水槽１０と試験水供給部１４は、構造が同一であるので、一の試験水槽１０及び試験水供給部１４のみについて以下説明を行うこととする。
【００１５】
試験水槽１０は、供試魚２４が遊泳できるように酸素供給装置など種々の装置が取り付けられており（図示省略）、またその側面には、試験水供給部１４によって試験水が過剰に供給された場合に、その試験水が排出可能なオーバーフロー管２６が設けられている。
【００１６】
試験水供給部１４は、それぞれ貯水槽１２の底面に設けられ、試験水槽１０と貯水槽１２を連通する試験水連通管２８と、試験水連通管２８に設けられ、試験水連通管２８を開閉可能な試験水供給用電磁弁３０と、試験水供給管２８の試験水供給用電磁弁３０の下方に設けられ、試験水連通路２８内を流動する試験水の量を調整可能な試験水量調整弁３２と、を備えている。
【００１７】
貯水槽１２は、試験水槽１０の上方に設置されており、その側面には、希釈水供給部１８と薬液供給部２２によって希釈水と薬液が過剰に供給された場合に、その希釈水と薬液が混合された試験水が排出可能なオーバーフロー管３４が設けられている。
【００１８】
希釈水タンク１６と薬液タンク２０は、貯水槽１２の上方に設置されている。
【００１９】
希釈水供給部１８は、希釈水タンク１６と貯水槽１２の間に設置され、貯水槽１２に供給する希釈水を計量する希釈水計量容器３６と、希釈水タンク１６の底面に設けられ、希釈水計量容器３６と希釈タンク１８を連通する第１希釈水用連通管３８と、第１希釈水用連通管３８に設けられ、第１希釈水用連通管３８を開閉可能な第１希釈水用電磁弁４０と、希釈水計量容器３６の底面に設けられ、希釈水計量容器３６と貯水槽１２を連通する第２希釈水用連通管４２と、第２希釈水用連通管４２に設けられ、第２希釈水用連通管４２を開閉可能な第２希釈水用電磁弁４４と、希釈水計量容器３６に所定量の希釈水が貯まったか否かを検知する希釈水センサ４６と、を備えている。
【００２０】
薬液供給部２２は、薬液タンク２０と貯水槽１２の間に設置され、貯水槽１２に供給する薬液を計量する薬液計量容器４８と、薬液タンク２０の底面に設けられ、薬液計量容器４８と希釈タンク２０を連通する第１薬液用連通管５０と、第１薬液用連通管５０に設けられ、第１薬液用連通管５０を開閉可能な第１薬液用電磁弁５２と、薬液計量容器４８の底面に設けられ、薬液計量容器４８と貯水槽１２を連通する第２薬液用連通管５４と、第２薬液用連通管５４に設けられ、第２薬液用連通管５４を開閉可能な第２電磁弁５６と、薬液計量容器４８に所定量の薬液が貯まったか否かを検知する薬液センサ５８と、を備えている。
【００２１】
第２希釈水用連通管４２の下流側と第２薬液用連通管５４の下流側は、合流されており、希釈水と薬液は、混合された状態で貯水槽１２に供給されるように構成されている。
【００２２】
制御部Ａは、図２に示すように第１希釈水用電磁弁４０、第２希釈水用電磁弁４４、希釈水センサ４６、第１薬液用電磁弁５２、第２薬液用電磁弁５６、及び薬液センサ５８に接続されており、希釈水センサ４６によって希釈水計量容器３６内に所定量の希釈水が貯まったと検知されると、第１希釈水用電磁弁４０を閉口させ、薬液センサ５８によって薬液計量容器４８内に所定量の薬液が貯まったと検知されると、第１薬液用電磁弁５２を閉口させ、その後、例えば第２希釈水用電磁弁４４と第２薬液用電磁弁５６が閉口したときから所定時間経過後、第２希釈水用電磁弁４４及び第２薬液用電磁弁５６を開口させるように構成されている。
【００２３】
次に、第１実施例に係る流水式魚類試験装置の動作について説明する。先ず、第２希釈水用電磁弁４４と第２薬液用電磁弁５６を閉じ、第１希釈水用電磁弁４０と第１薬液用電磁弁５２を開くと、希釈水タンク１６から希釈水計量容器３６内に希釈水が供給され、薬液タンク２０から薬液計量容器４８内に薬液が供給され、それぞれに希釈水及び薬液が貯められる。希釈水計量容器４８内に所定量の希釈水が貯まったと希釈水センサ４６が検知すると、第１希釈水用電磁弁４０が閉じ、薬液計量容器内に所定量の薬液が貯まったと薬液センサ５８が検知すると、第１薬液用電磁弁５２が閉じる。その後、例えば第２希釈水用電磁弁４４と第２薬液用電磁弁５６が閉じたときから所定時間経過後、第２希釈水用電磁弁４４と第２薬液用電磁弁５６が開き、希釈水計量容器３６内の希釈水と薬液計量容器４８内の薬液が貯水槽１２に供給される。
【００２４】
一方、試験中は、試験水供給用電磁弁３０を開けておき、そうすると、貯水槽１２に貯められた試験水は、試験水量調整弁３２によって適量に調整されて各試験水槽１０に連続的に供給される。そして、常時、試験水が貯水槽１２に十分に貯まっているように、希釈水と薬液の供給を繰り返すことにより、試験水を連続的に試験水槽１０に供給することができ、試験水槽１０内の供試魚２４の薬液に対する安全性の評価を行うことができる。
【００２５】
次に、本発明に係る流水式魚類試験装置の第２実施例について、図３に基づいて説明する。第２実施例に係る流水式魚類試験装置は、第１実施例と異なり、貯水槽１２を備えておらず、希釈水供給部１８と薬液供給部２２から直接一つの試験水槽１０に希釈水及び薬液が供給されるように構成されている。この場合、第１実施例と同様に第２希釈水連通管４２の下流側と第２薬液連通管５４の下流側は、合流されて構成されているので、希釈水と薬液は、十分に混合された試験水の状態で試験水槽１０に供給される。特に、第２実施例においては、合流された管の長さを十分に長くしているので、より混合された状態で試験水を供給することができる。
【図面の簡単な説明】
【００２６】
【図１】本発明に係る流水式魚類試験装置の第１実施例の概念図である。
【図２】第１実施例に係る流水式魚類試験装置の制御ブロック図である。
【図３】本発明に係る流水式魚類試験装置の第２実施例の概念図である。
【図４】従来の流水式魚類試験装置の概念図である。
【符号の説明】
【００２７】
１０   試験水槽
１２   貯水槽
１４   試験水供給部
１６   希釈水タンク
１８   希釈水供給部
２０   薬液タンク
２２   薬液供給部
２４   供試魚
２８   試験水供給管
３２   試験水量調整弁
３６   希釈水計量容器
３８   第１希釈水供給管
４０   第１希釈水用電磁弁
４２   第２希釈水供給管
４４   第２希釈水用電磁弁
４８   薬液計量容器
５０   第１薬液供給管
５２   第１薬液用電磁弁
５４   第２薬液供給管
５６   第２薬液用電磁弁
【図１】
2005160336.tif 000003
【図２】
2005160336.tif 000004
【図３】
2005160336.tif 000005
【図４】
2005160336.tif 000006
【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
薬液と希釈水が混合された試験水で供試魚などを飼育させておく試験水槽と、
該試験水槽の上方に設置され、前記試験水槽に供給する試験水を貯水する貯水槽と、
該貯水槽から前記試験水槽に試験水を供給する試験水供給手段と、
前記貯水槽の上方に設置され、前記貯水槽に供給する希釈水を貯めておく希釈水タンクと、
前記希釈水タンクの希釈水を前記貯水槽に供給する希釈水供給手段と、
前記貯水槽の上方に設置され、前記貯水槽に供給する薬液を貯めておく薬液タンクと、
前記薬液タンクの薬液を前記貯水槽に供給する薬液供給手段と、
前記希釈水供給手段と前記薬液供給手段を制御する制御手段と、
を備えた流水式魚類試験装置であって、
前記希釈水供給手段は、前記希釈水タンクと前記貯水槽の間に設置され、前記貯水槽に供給する希釈水を計量する希釈水計量容器と、該希釈水計量容器と前記希釈タンクを連通する第１希釈水用連通路と、該第１希釈水用連通路に設けられ、第１希釈水用連通路を開閉可能な第１希釈水用弁と、前記希釈水計量容器と前記貯水槽を連通する第２希釈水用連通路と、該第２希釈水用連通路に設けられ、第２希釈水用連通路を開閉可能な第２希釈水用弁と、を備えており、
前記薬液供給手段は、前記薬液タンクと前記貯水槽の間に設置され、前記貯水槽に供給する薬液を計量する薬液計量容器と、該薬液計量容器と前記薬液タンクを連通する第１薬液用連通路と、該第１薬液用連通路に設けられ、第１薬液用連通路を開閉可能な第１薬液用弁と、前記薬液計量容器と前記貯水槽を連通する第２薬液用連通路と、該第２薬液用連通路に設けられ、第２薬液用連通路を開閉可能な第２薬液用弁と、を備えており、
前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されており、
前記試験水供給手段は、前記試験水槽と前記貯水槽を連通する試験水連通路と、該試験水連通路に設けられ、前記試験水連通路内を流動する試験水の量を調整可能な試験水量調整弁が設けられていることを特徴とする流水式魚類試験装置。
【請求項２】
前記試験水槽は、二以上設けられており、前記試験水供給手段は、前記試験水槽に対応させて同数設けられていることを特徴とする請求項１記載の流水式魚類試験装置。
【請求項３】
前記第２希釈水用連通路と前記第２薬液用連通路は、前記貯水槽に至る前で合流されていることを特徴とする請求項１又は２記載の流水式魚類試験装置。
【請求項４】
薬液と希釈水が混合された試験水で供試魚などを飼育させておく試験水槽と、
該試験水槽の上方に設置され、前記試験水槽に供給する希釈水を貯めておく希釈水タンクと、
前記希釈水タンクの希釈水を前記試験水槽に供給する希釈水供給手段と、
前記試験水槽の上方に設置され、前記試験水槽に供給する薬液を貯めておく薬液タンクと、
前記薬液タンクの薬液を前記試験水槽に供給する薬液供給手段と、
前記希釈水供給手段と前記薬液供給手段を制御する制御手段と、
を備えた流水式魚類試験装置であって、
前記希釈水供給手段は、前記希釈水タンクと前記試験水槽の間に設置され、前記試験水槽に供給する希釈水を計量する希釈水計量容器と、該希釈水計量容器と前記希釈タンクを連通する第１希釈水用連通路と、該第１希釈水用連通路に設けられ、第１希釈水用連通路を開閉可能な第１希釈水用弁と、前記希釈水計量容器と前記試験水槽を連通する第２希釈水用連通路と、該第２希釈水用連通路に設けられ、第２希釈水用連通路を開閉可能な第２希釈水用弁と、を備えており、
前記薬液供給手段は、前記薬液タンクと前記試験水槽の間に設置され、前記試験水槽に供給する薬液を計量する薬液計量容器と、該薬液計量容器と前記薬液タンクを連通する第１薬液用連通路と、該第１薬液用連通路に設けられ、第１薬液用連通路を開閉可能な第１薬液用弁と、前記薬液計量容器と前記試験水槽を連通する第２薬液用連通路と、該第２薬液用連通路に設けられ、第２薬液用連通路を開閉可能な第２薬液用弁と、を備えており、
前記制御手段は、前記希釈水計量容器内に所定量の希釈水が貯まると、前記第１希釈水用弁を閉口させ、前記薬液計量容器内に所定量の薬液が貯まると、前記第１薬液用弁を閉口させ、その後、前記第２希釈水用弁及び前記第２薬液用弁を開口させるように構成されていることを特徴とする流水式魚類試験装置。
【請求項５】
前記第２希釈水用連通路と前記第２薬液用連通路は、前記試験水槽に至る前で合流されていることを特徴とする請求項１又は２記載の流水式魚類試験装置。
【手続補正３】
【補正対象書類名】明細書
【補正対象項目名】０００１
【補正方法】変更
【補正の内容】
【０００１】
本発明は、産業廃棄物、工場排水、農薬等に含まれる毒性有機物、化学物質など薬液の供試魚に及ぼす生物学的又は化学的な安全性の評価を行う流水式魚類試験装置に関する。
【手続補正４】
【補正対象書類名】明細書
【補正対象項目名】０００２
【補正方法】変更
【補正の内容】
【０００２】
従来からあるこの種の流水式魚類試験装置は、図４に示すように産業廃棄物、工場排水、農薬等に含まれる毒性有機物、化学物質など薬液を貯めておく薬液タンク７０と、薬液を希釈する希釈水を貯めておく希釈水タンク７２と、これら薬液と希釈水を所定の濃度に混ぜて試験水として貯水する貯水槽７４と、供試魚７６を試験水に飼育させておく試験水槽７８と、薬液タンク７０内の薬液を貯水槽７４に供給する薬液供給ポンプ８０と、希釈水タンク７２内の希釈水を貯水槽７４に供給する希釈水供給ポンプ８２と、を備えている（非特許文献１）。
【手続補正５】
【補正対象書類名】明細書
【補正対象項目名】０００３
【補正方法】変更
【補正の内容】
【０００３】
この流水式魚類試験装置は、薬液供給ポンプ８０と希釈水供給ポンプ８２を稼動することによって、貯水槽７４に薬液と希釈水を供給し、それぞれ貯水槽に供給する薬液と希釈水の量は、これらポンプ８０、８２によって調整されるように構成されており、貯水槽７４で混合された試験水は、既知の手段によって試験水槽７８に連続的に適量が供給されるよう構成されている。このように連続的に試験水を供給し、試験水槽７８内で飼育している供試魚７６の生体を調べることにより、薬液の供試魚に及ぼす生物学的又は化学的な安全性の評価を行うことができる。
【手続補正６】
【補正対象書類名】明細書
【補正対象項目名】０００５
【補正方法】変更
【補正の内容】
【０００５】
しかしながら、従来の流水式魚類試験装置は、このようにポンプ８０、８２を用いて薬液や希釈水を貯水槽７４に供給するように構成されているが、ポンプ８０、８２は、シール部の交換など頻繁にメンテナンスを行う必要があるため、長期間に及ぶ試験には適していない。また、ポンプ８０、８２によって供給量を調整する場合、その設定作業は、複雑で手間がかかるという問題がある。さらに、ポンプ８０、８２によって薬液や希釈水を供給する際に、ポンプ８０、８２から薬液や希釈水に熱や圧力が伝わることによって、これらの水温上昇を生じさせたり、また溶解酸素を減らしたりすることにより、薬液の供試魚に対する安全性の試験に悪影響を与える場合がある。
【手続補正７】
【補正対象書類名】明細書
【補正対象項目名】０００６
【補正方法】変更
【補正の内容】
【０００６】
そこで、本発明は、ポンプを利用しないで、連続的に薬液の供試魚に対する安全性の試験を行うことができる流水式魚類試験装置を提供することを目的とする。
【手続補正８】
【補正対象書類名】明細書
【補正対象項目名】０００９
【補正方法】変更
【補正の内容】
【０００９】
本発明に係る流水式魚類試験装置において、前記試験水槽は、二以上設けられており、前記試験水供給手段は、前記試験水槽に対応させて同数設けられていることが好ましく、この場合、試験水供給手段は、同一の貯水槽から同量の試験水を供給するように構成されていることが好ましい。このように二以上の試験水槽を設けることにより、一の試験水槽内の供試魚が病気などが発生したとしても、他の試験水槽に影響を与えることはないので、長期に及ぶ試験に対応することができる。また、本発明に係る流水式魚類試験装置において、前記第２希釈水用連通路と前記第２薬液用連通路は、前記貯水槽に至る前で合流されていることが好ましく、このように第２希釈水用連通路と第２薬液用連通路を合流させることにより、希釈水と薬液を十分に混合させることができ、評価試験の質の向上を図ることができる。
【手続補正９】
【補正対象書類名】明細書
【補正対象項目名】００１２
【補正方法】変更
【補正の内容】
【００１２】
以上のように、本発明に係る流水式魚類試験装置によれば、ポンプを利用しないで、連続的に薬液の供試魚に対する安全性の試験を行うことができる流水式魚類試験装置を提供することができる。